(57)【要約】【課題】本発明は、野球用又はソフトボール用グラブの改良に関するものである。【解決手段】本願発明は、グラブ１の甲部ベルト２０に係合される小指袋６の背面基部６Ａから下部に延在した舌片部６Ｂを有する野球用又はソフトボール用グラブ１において、前記小指袋６の背面基部６Ａから下部に延在した舌片部６Ｂの甲部ベルト接合部６Ｃから舌片部６Ｂの外周側下端部６Ｄに架けて末広がり形状に切り欠いた切欠部８を形成し、該切欠部８に伸縮性を有する屈曲部材９を配置一体化したことを特徴とする野球用又はソフトボール用グラブ１１である。【選択図】          図１
2005027678.tif 000002
【特許請求の範囲】
【請求項１】
グラブの甲部ベルトに係合される小指袋の背面基部から下部に延在した舌片部を有する野球用又はソフトボール用グラブにおいて、前記小指袋の背面基部から下部に延在した舌片部の甲部ベルト接合部から舌片部の外周側下端部に架けて末広がり形状に切り欠いた切欠部を形成し、該切欠部に伸縮性を有する屈曲部材を配置一体化したことを特徴とする野球用又はソフトボール用グラブ。
【発明の詳細な説明】
【０００１】
【産業上の利用分野】
本発明は、野球用又はソフトボール用グラブの改良に関するものである。
【０００２】
【従来の技術】
従来から野球用又はソフトボール用グラブ（以下、単にグラブと省略する。）においては、捕球時に親指袋と他の四指の指袋の屈曲性を改良し捕球動作が確実に行えるようにすると同時に、長期間使用した場合に、指への疲労度を如何に軽減するかが考慮されてきた。
【０００３】
即ち、実開昭５７−１６９３６２号公報に開示されているように、グラブ甲部の人差指、中指、薬指、小指の第二関節部に当接する部位を切除して、切除部に伸縮可能任意材を逢着したことにより、各指の動作に追随して屈曲性を向上したグラブに関する考案が公知である。
更に、実開昭５９−６９７７５号公報に開示されているように、小指袋及び薬指袋の基端部付近となる捕球具（グラブ）の外面手背部に、該指袋の突設方向に対して略直交する方向の切欠部を形成すると共に、上記切欠部の外面側に該切欠部を覆被する皮革帯材を止着一体化し、且つ、上記皮革帯材の外面側には、上記指袋の突設方向に対して略直交する複数本の突条を所要の間隔を保たせて配置したことを特徴とする捕球具（グラブ）も公知となっている。
【０００４】
【発明が解決しようとする課題】
しかし、上記従来から公知のグラブにおいては、以下のような解決すべき課題を有していた。即ち、前者の実開昭５７−１６９３６２号公報においては、グラブ甲部の人差指、中指、薬指、小指の第二関節部に当接する部位を切除して、切除部に伸縮可能任意材を逢着した構造であるが、添付図面から判断して第二関節部に当接する部位は、骨格の模式図に対応した場合に、人差指、中指、薬指、小指の中手指節関節に相当する部位が該当するものである。
更に、実開昭５７−１６９３６２号公報においては、切除部としては、人差指袋の軸線略中央部から小指袋の軸線略中央部に至った構成であり、この部位に伸縮可能任意材を逢着した構造であるため、人差指袋の軸線略中央部分と小指袋の軸線略中央部の間では屈曲するが、人差指袋の軸線略中央部分の親指側及び小指袋の軸線略中央部の外側には指袋がそのまま存在することになり、これらの部位には屈曲抵抗力が発生するため、指袋の屈曲動作が容易に行えるとは言い難く、捕球動作上、改良の余地が残されていた。
【０００５】
一方、実開昭５９−６９７７５号公報に開示されているグラブにおいては、以下のような改善すべき問題点を有していた。
【０００６】
即ち、グラブの外面手背部の小指袋及び薬指袋の基端部付近に切欠部を形成し、該切欠部を覆被する皮革帯材を止着一体化し、且つ、上記皮革帯材の外面側には、上記指袋の突設方向に対して略直交する複数本の突条を所要の間隔を保たせて配置したグラブであり、捕球動作時に親指袋と連動する他の四指の指袋の動きを見た場合に、上記構成のため、確かに小指袋及び薬指袋の基端部付近は、人差し指袋や中指袋に対して屈曲し易いが人差し指袋や中指袋の基端部付近は逆に屈曲し難くなる傾向が顕著となり捕球動作上はグラブ自体のスムーズな屈曲が阻害され落球やハンブルの要因になるなど、改善の余地が大きかった。
【０００７】
そこで、本発明は、ボールを親指袋と子指袋とで挟み込むと同時に、人差指袋、中指袋、薬指袋は、屈曲を抑制して立設状態を保ち、グラブ受球部からボールがすり抜けることを防止し、捕球動作が良好で且つ軽快なグラブさばきができるようにしたものである。
【０００８】
【課題を解決するための手段】
上記の課題を解決するために、本発明は、グラブの甲部ベルトに係合される小指袋の背面基部から下部に延在した舌片部を有する野球用又はソフトボール用グラブにおいて、前記小指袋の背面基部から下部に延在した舌片部の甲部ベルト接合部から舌片部の外周側下端部に架けて末広がり形状に切り欠いた切欠部を形成し、該切欠部に伸縮性を有する屈曲部材を配置一体化したことを特徴とする野球用又はソフトボール用グラブである。
【０００９】
【実施の形態】
上記のような構成により、本発明のグラブにおいては、小指袋の背面基部から下部に延在した舌片部の甲部ベルト接合部から舌片部の外周側下端部に架けて末広がり形状に切り欠いた切欠部を形成し、該切欠部に伸縮性を有する屈曲部材を配置一体化したことにより、小指側の屈曲性が著しく改善されるために、小指袋の捕球方向の屈曲がスムーズになると共に、捕球に最適な形状の屈曲が可能になる。
【００１０】
【実施例】
以下、本発明の実施例を図面に基づいて説明する。
図１及び図２に示すように、グラブ１の甲部ベルト２０に係合される小指袋６の背面基部６Ａから下部に延在した舌片部６Ｂを有する野球用又はソフトボール用グラブ１において、前記小指袋６の背面基部６Ａから下部に延在した舌片部６Ｂの甲部ベルト接合部６Ｃから舌片部６Ｂの外周側下端部６Ｄに架けて末広がり形状に切り欠いた切欠部８を形成し、該切欠部８に伸縮性を有する屈曲部材９を配置一体化したことを特徴とする野球用又はソフトボール用グラブ１である。
【００１１】
なお、この末広がりになるように切り欠いた切欠部８の上端部８Ａは、図１に示すように、舌片部６Ｂの甲部ベルト接合部６Ｃ上方の端部から舌片部６Ｂの外周側下端部６Ｄに架けて傾斜しており、且つ切欠部８の下端部８Ｂは、舌片部６Ｂの甲部ベルト接合部６Ｃから舌片部６Ｂの外周側下端部６Ｄに架けて傾斜し、切欠部８の上端部８Ａと下端部８Ｂの間隔は、徐々に広くなるように構成されている。その結果、捕球動作時に、舌片部６Ｂの甲部ベルト接合部６Ｃ上方の端部を支点にして舌片部６Ｂの外周側下端部６Ｄを結ぶ末広がり形状に切り欠いた切欠部８に配置した屈曲部材９が小指袋６の小指の動きに沿うように屈曲し、ボールを親指袋２と子指袋６とで挟み込むと同時に、人差指袋３、中指袋４、薬指袋５は、屈曲を抑制して立設状態を保ち、グラブ受球部１０からボールがすり抜けることを防止するため、捕球が確実に行えるものである。
【００１２】
なお、屈曲部材９としてゴムやエラストマーや、軟質の合成樹脂等から形成された弾性シート類を別途成型して縫製や接合一体化することができるものである。なお、その際、屈曲部材９を蛇腹状に形成することにより、屈曲性はより向上できるものである。
【００１３】
【効果】
本発明に係るグラブは、上記の構成にしたことにより、手の捕球動作に親指袋と子指袋の捕球方向の屈曲が屈曲抵抗なくスムーズになると共に、人差指袋、中指袋、薬指袋は屈曲を抑制して立設状態を保ち、グラブ受球部からボールがすり抜けることを防止するため、捕球が確実に行えるため、落球やハンブルがなくなり、確実に捕球することができると言った効果を奏するものである。
【００１４】
更に、本発明の屈曲部材においては、屈曲部材の裏側にスポンジや緩衝材などの弾性シート類を接合乃至積層しておくことにより、挿入した手に対する圧迫感をなくすると共に、走者にタッチした際の衝撃を吸収することができるため、傷害の防止に効果を奏するものである。
【図面の簡単な説明】
【図１】本発明に係るグラブの小指袋側から見た側面図。
【図２】本発明に係るグラブの受球面側からみた正面図。
【符号の説明】
１    グラブ
２    親指袋
３    人差指袋
４    中指袋
４Ａ  背面基部
４Ｂ  中指袋の背面中軸部
５    薬指袋
５Ａ  背面基部
６    小指袋
６Ａ  背面基部
６Ｂ  舌片部
６Ｃ  甲部ベルト接合部
６Ｄ  外周側下端部
８    切欠部
８Ａ  上端部
８Ｂ  下端部
９    屈曲部材
１０  グラブ受球部
２０  甲部ベルト
【図１】
2005027678.tif 000003
【図２】
2005027678.tif 000004